(57)【要約】【課題】排気経路中に着火装置を設ける構成において、着火装置の失火の判定を容易にする。【解決手段】触媒迂回路３ａ（第１の分岐路）および外枠８ａ内（第２の分岐路）が排気通路を構成すると共に、燃料添加弁７からの燃料がグロープラグ２１により着火され、着火による火炎の少なくとも一部が触媒迂回路３ａに供給される。そして排気の空燃比を検出するためのＡ／Ｆセンサ３１が、触媒迂回路３ａに配置されている。火炎の少なくとも一部が供給される触媒迂回路３ａにおいては、燃焼によって酸素濃度が低下するので、空燃比の検出への酸素濃度の影響を抑制することができ、したがってグロープラグ２１の失火判定を容易にすることができる。【選択図】図２
2012012985.tif 000002
【特許請求の範囲】
【請求項１】
内燃機関の排気通路を構成する第１の分岐路および第２の分岐路と、前記排気通路に配置された燃料添加弁と、前記燃料添加弁から添加された燃料に着火させる着火装置と、を備え、前記着火による火炎の少なくとも一部が前記第１の分岐路に供給される内燃機関の排気装置において、
排気の空燃比を検出するための空燃比センサが、前記第１の分岐路に配置されていることを特徴とする内燃機関の排気装置。
【請求項２】
請求項１に記載の内燃機関の排気装置であって、
前記第２の分岐路に触媒コンバータが配置されていることを特徴とする内燃機関の排気装置。
【請求項３】
請求項２に記載の内燃機関の排気装置であって、
前記第１の分岐路は、前記第２の分岐路と熱交換可能に配置されていることを特徴とする内燃機関の排気装置。
【請求項４】
請求項３に記載の内燃機関の排気装置であって、
前記第１の分岐路は、前記第２の分岐路の外周を囲むように配置されていることを特徴とする内燃機関の排気装置。
【発明の詳細な説明】
【技術分野】
【０００１】
本発明は、内燃機関の排気通路に設けられて排気に燃料を供給する燃料添加弁を有する排気装置に関する。
【背景技術】
【０００２】
内燃機関の排気通路に燃料を供給する燃料添加弁を備えた排気装置が種々提案されている。特許文献１が開示するエンジンでは、排気を加熱するためのバーナと、排気に燃料を添加するための燃料添加弁を含むλ制御用ガス供給手段とを、排気通路における触媒コンバータの上流側に配置し、これらバーナ及びガス供給手段の下流側であって触媒コンバータの上流側に、空燃比を検出するためのラムダセンサを配置している。
【先行技術文献】
【特許文献】
【０００３】
【特許文献１】特開２００６−２４２００９号公報
【発明の概要】
【発明が解決しようとする課題】
【０００４】
上記特許文献１の装置においては、ラムダセンサによって検出される空燃比に基づいて、バーナの失火判定が可能であると考えられる。しかし、内燃機関からの排気やガス供給手段からの供給ガスに含まれる酸素の影響によって、バーナの失火判定が困難になるおそれがある。
【０００５】
本発明は、排気経路中に着火装置を設ける構成において、着火装置の失火の判定を容易にすることを目的とする。
【課題を解決するための手段】
【０００６】
本発明の１態様は、
内燃機関の排気通路を構成する第１の分岐路および第２の分岐路と、前記排気通路に配置された燃料添加弁と、前記燃料添加弁から添加された燃料に着火させる着火装置と、を備え、前記着火による火炎の少なくとも一部が前記第１の分岐路に供給される内燃機関の排気装置において、
排気の空燃比を検出するための空燃比センサが、前記第１の分岐路に配置されていることを特徴とする内燃機関の排気装置である。
【０００７】
この態様では、第１の分岐路および第２の分岐路が排気通路を構成すると共に、燃料添加弁からの燃料が着火装置により着火され、着火により生じた火炎の少なくとも一部が第1の分岐路に供給される。そして排気の空燃比を検出するための空燃比センサが、第１の分岐路に配置されている。火炎の少なくとも一部が供給される第1の分岐路においては、燃焼によって酸素濃度が低下するので、空燃比の検出への排ガスやガス導入手段からの酸素濃度の影響を抑制することができ、したがって着火装置の失火判定を容易にすることができる。
【０００８】
好適には、前記第２の分岐路に触媒コンバータが配置されている。この態様では、触媒コンバータにより排気を浄化でき、また、燃料添加弁からの燃料が当該触媒コンバータに供給される場合には、反応による発熱や供給燃料の改質を図ることができる。
【０００９】
この場合において、好適には、前記第１の分岐路は、前記第２の分岐路と熱交換可能に配置されている。この態様では、第１の分岐路中に存在する火炎により第２の分岐路内の触媒コンバータを昇温させることが可能になる。この場合において、第１の分岐路が第２の分岐路の外周を囲むように配置されているのが特に好適である。さらに本発明では、火炎が第１の分岐路と第２の分岐路との下流側の合流点に到達する場合に、第２の分岐路の触媒コンバータを通過し改質された燃料を燃焼させることも可能になる。
【００１０】
なお、本発明における課題を解決するための手段は、可能な限り組み合わせて使用することができる。
【発明の効果】
【００１１】
本発明によれば、排気経路中に着火装置を設ける構成において、着火装置の失火の判定を容易にすることができる。
【図面の簡単な説明】
【００１２】
【図１】本発明の第１実施形態の概念図である。
【図２】第１実施形態の要部を正面視した断面図である。
【図３】第１実施形態の要部を軸方向視した断面図である。
【図４】可変燃圧レギュレータを示す断面図である。
【図５】燃料圧力マップの設定例を示すグラフである。
【発明を実施するための形態】
【００１３】
本発明の好適な実施形態について、以下に詳細に説明する。ただし、本発明の実施態様は下記の各態様のみに限らず、本発明は、特許請求の範囲によって規定される本発明の思想に包含されるあらゆる変形例や応用例を含むことに注意しなければならない。実施形態に記載されている構成要素の寸法、材質、形状、その相対配置等は、特に特定的な記載がない限りは、発明の技術的範囲をそれらのみに限定する趣旨のものではない。
【００１４】
図１は実施形態におけるエンジン本体１と、その吸排気系の概略構成を示す。エンジン本体１は、車載の４サイクル・ディーゼルエンジンである。エンジン本体１には、吸気管２および排気管３（排気通路）が接続されている。吸気管２の途中には、吸気管２内を流通する吸気の流量に応じた信号を出力するエアフローメータ４が設けられている。このエアフローメータ４により、エンジン本体１への吸入空気量が測定される。なお、エンジン本体１は複数の気筒を有し、各気筒には筒内燃料噴射弁９が設けられているが、図１では単一の筒内燃料噴射弁９のみを示している。
【００１５】
排気管３の終端は、図示しない消音器に接続され、消音器の出口で大気に開放されている。排気管３の途中には、酸化触媒コンバータ６及びＮＯｘ触媒コンバータ２６が、この順に直列に配置されている。酸化触媒コンバータ６は、ＨＣ，ＣＯなどの未燃成分をＯ2と反応させてＣＯ，ＣＯ2，Ｈ2Ｏ等とする。触媒物質としては例えばＰｔ／ＣｅＯ2、Ｍｎ／ＣｅＯ2、Ｆｅ／ＣｅＯ2、Ｎｉ／ＣｅＯ2、Ｃｕ／ＣｅＯ2等を用いることができる。ＮＯｘ触媒コンバータ２６は、好ましくは、吸蔵還元型ＮＯｘ触媒コンバータ（NSR: NOx Storage Reduction）からなる。ＮＯｘ触媒コンバータ２６は、流入する排気の酸素濃度が高いときは排気中のＮＯｘを吸蔵し、流入する排気の酸素濃度が低下し且つ還元成分（例えば、燃料等）が存在するときは吸蔵していたＮＯｘを還元する機能を有する。ＮＯｘ触媒コンバータ２６は、アルミナＡｌ2Ｏ3等の酸化物からなる基材表面に、触媒成分としての白金Ｐｔのような貴金属と、ＮＯｘ吸収成分とが担持されて構成されている。ＮＯｘ吸収成分は、例えばカリウムＫ、ナトリウムＮａ，リチウムＬｉ、セシウムＣｓのようなアルカリ金属、バリウムＢａ、カルシウムＣａのようなアルカリ土類、ランタンＬａ、イットリウムＹのような希土類から選ばれた少なくとも一つから成る。なお、ＮＯｘ触媒コンバータ２６は選択還元型ＮＯｘ触媒コンバータ（SCR: Selective Catalytic Reduction）であってもよい。
【００１６】
排気管３における酸化触媒コンバータ６の上流には、燃料添加弁７、前処理触媒コンバータ８、およびグロープラグ２１が配置されている。これら燃料添加弁７、前処理触媒コンバータ８、およびグロープラグ２１は、バーナ装置３０を構成する。バーナ装置３０は、エンジン本体１に接続された排気マニホールド（不図示）の集合部よりも下流側に配置されている。
【００１７】
燃料添加弁７は、排気中に液体の燃料（軽油）を添加することができる。燃料タンク１１は、燃料吸引管１２、低圧燃料ポンプ１３、高圧燃料ポンプ１４、燃料供給管１５及び可変燃圧レギュレータ１６を介して、燃料添加弁７に接続されている。燃料ポンプ１３，１４が、燃料吸入管１２を介して燃料タンク１１に貯留されている燃料を吸入し、燃料供給管１５へと吐出することで、燃料添加弁７に燃料が供給される。エンジン本体１に設置された筒内燃料噴射弁９への配管２７には、高圧燃料ポンプ２８が設けられている。詳細は図示しないが、配管２７は気筒数に応じた数の筒内燃料噴射弁９に向けて分岐している。燃料ポンプ１３，１４，２８は例えば機械式であり、エンジン本体１の図示しない出力軸（クランクシャフト）の駆動力を利用して作動する。なお燃料ポンプ１３，１４，２８の少なくとも一つは電動式であってもよい。
【００１８】
可変燃圧レギュレータ１６は、高圧燃料ポンプ１４から吐出される燃料の圧力を調整する。図４に示されるように、可変燃圧レギュレータ１６は、ニードルバルブ１７を備えている。このニードルバルブ１７は、燃料供給管１５から分岐された分岐通路１８に開口するオリフィス１７ａを有するバルブシート１７ｂと、このバルブシート１７ｂに離接して上記オリフィス１７ａを開閉するニードル１７ｃとから構成されている。可変燃圧レギュレータ１６は、更に、ニードルバルブ１７に一体に連結された図示しない磁性アーマチュアと、このアーマチュアを下方（ニードルバルブ１７を閉じる方向）に付勢する図示しないスプリングと、上記アーマチュアと図示しない磁気コアからなる磁気回路に磁束を発生させるためのコイル１９とを備えている。
【００１９】
要求される燃圧に基づいて、コイル１９に通電する電流の大きさを制御し、磁気コアとアーマチュアとから構成される磁気回路内の磁束を変化させると、アーマチュアを下方に付勢する力が制御されて、スプリングの付勢力がアシストされ、ニードルバルブ１７の開度が調整される。
【００２０】
コイル１９が通電されないときに、ニードルバルブ１７が最も開いており、その近傍で燃圧は第２圧力Ｐ２（例えば５ＭＰａ）となる。コイル１９に通電する電流を徐々に増加すると、ニードルバルブ１７が徐々に閉じられて、燃圧が上昇する。供給電流が最大値の近傍である時に、吐出される燃料は第１圧力Ｐ１（例えば１０ＭＰａ）に制御される。なお、燃圧レギュレータは、他の構成、例えばスプリングのバネ圧を最大燃圧に対応する値に設定し、コイル１９にてアーマチュアを上方に付勢して圧縮することにより燃圧を調整するタイプのものでもよい。
【００２１】
図２において、燃料添加弁７は単一の噴孔７ａを有しており、噴孔７ａの噴孔軸７ｂは、排気管３を横断する方向の成分を含み、且つ排気管３の下流に向けて傾斜している。なお噴孔は複数であってもよい。
【００２２】
排気管３における燃料添加弁７と酸化触媒コンバータ６との間の部分に、燃料添加弁７から噴射された燃料を改質する前処理触媒コンバータ８が設けられている。この前処理触媒コンバータ８は、例えばゼオライト製の担体にロジウム等を担持させた酸化触媒コンバータとして構成することができる。
【００２３】
燃料が前処理触媒コンバータ８に供給されると、そのとき前処理触媒コンバータ８が活性化していれば、前処理触媒コンバータ８内で燃料が酸化させられ、このとき発生する酸化反応熱によって、前処理触媒コンバータ８が昇温させられる。また、前処理触媒コンバータ８の温度が高くなると、燃料中の炭素数の多い炭化水素が分解して、炭素数が少なく反応性の高い炭化水素が生成され、これによって燃料が反応性の高い燃料に改質される。換言すれば、前処理触媒コンバータ８は、一方では急速に発熱する急速発熱器を構成し、他方では、改質された燃料を排出する改質燃料排出器を構成する。また、燃料添加弁７から供給された燃料の一部又は全部は、グロープラグ２１により着火され、これによって排ガスの昇温が促進される。
【００２４】
前処理触媒コンバータ８の外径は、排気管３の内径よりも小さく、前処理触媒コンバータ８が排気管３に収容されると、前処理触媒コンバータ８の外周面と排気管３の内周面との隙間である触媒迂回路３ａに排気が通過することが可能になる。前処理触媒コンバータ８は、個々のセルが上流から下流へと連通した所謂ストレートフロー型である。前処理触媒コンバータ８は概ね円筒状の外枠８ａ内に配置されており、この外枠８ａは、概ね放射状に配置された複数のステー８ｂによって排気管３内に支持されている。前処理触媒コンバータ８は、ステー８ｂを除く実質的に全周にわたって、触媒迂回路３ａに囲まれている。
【００２５】
図２及び図３に示されるように、排気管３は、概ね円筒形状に形成されている。前処理触媒コンバータ８における排気流れ方向の軸心は、排気管３の排気流れ方向の軸心よりも図中下方に偏向している。このため、前述した触媒迂回路３ａは、図中上側が広い広大側迂回路３ｂであり、かつ下側が狭い狭小側迂回路３ｃとなっている。
【００２６】
グロープラグ２１は、燃料添加弁７よりも下流側であって、前処理触媒コンバータ８よりも上流側に設置されている。グロープラグ２１は、昇圧回路２２を経て車載直流電源２３に接続されており、通電された際に発生する熱により、燃料添加弁７から供給された燃料に着火して火炎Ｆを生じさせることが可能である。グロープラグ２１は、その軸心が排気管３の上流に向けて傾斜しているが、例えば流れ方向に直交し且つ後に述べる衝突板２０の長手方向と平行に配置するなど、任意の姿勢で配置することができる。なお、着火手段としては、セラミックヒータやスパークプラグなどの他の装置、とくに電熱式または火花着火式の装置を用いることができる。
【００２７】
前処理触媒コンバータ８を収容している外枠８ａの前端部の下部は、上流側に向けて突出した樋状の突出部８ｃになっている。突出部８ｃには、概ね平坦な衝突板２０が固定されている。衝突板２０は、排気管３内で下側に偏向した位置に配置されており、且つ下流側に向けてやや傾斜させられている。
【００２８】
衝突板２０は、ＳＵＳなどの耐熱性及び耐衝撃性に優れた材料から形成することができる。燃料添加弁７は、衝突板２０に向けて、斜め下向きに燃料を噴射する。燃料添加弁７から供給される燃料の軌道は、排気管３を横断する方向の成分を含む。衝突板２０は、燃料が衝突することによって燃料の微粒化、霧化を促進させ、分散性、拡散性を向上させる。衝突板２０に衝突した燃料は、排気流によって下流側に偏向される。衝突板２０に衝突した燃料は、前処理触媒コンバータ８及びグロープラグ２１の発熱部２１ａに供給される。燃料添加弁７の軸心は、衝突板２０の中心２０ａに向けられているが、噴射された燃料が排気側に流されることを考慮して、中心２０ａよりも上流側に向けられていてもよい。
【００２９】
グロープラグ２１は、前処理触媒コンバータ８の近傍、かつ前処理触媒コンバータ８の前端面のやや上流側の上方に配置され、これによって前処理触媒コンバータ８と熱交換可能にされている。すなわち、グロープラグ２１は、前処理触媒コンバータ８が昇温するとその熱輻射および対流よりその発熱部２１ａの近傍が昇温されて、燃料添加弁７から供給された燃料の着火が促進されるような位置に配置されている。ただし、グロープラグ２１の流れ方向の位置は、前処理触媒コンバータ８の前端面と同じであっても、これより下流側であってもよい。
【００３０】
触媒迂回路３ａには、Ａ／Ｆセンサ３１が設置されている。Ａ／Ｆセンサ３１の検出点の位置は、運転中の酸素濃度が触媒迂回路３ａ内において最小又は極小となる位置、あるいは最小値又は極小値から所定範囲内となるような位置に設定するのが好適である。Ａ／Ｆセンサ３１は、酸素イオン伝導性材料（例えばジルコニア）からなるシート状の固体電解質素子、及び当該固体電解質素子を挟んだ一対の電極を有するものであり、排ガス中の酸素濃度に比例した出力を発生する。Ａ／Ｆセンサ３１は、内蔵されたヒータによって固体電解質を直接加熱するいわゆる積層型のものであるが、大気層を介して間接的に固体電解質を加熱するいわゆるコップ型であってもよい。
【００３１】
エンジン本体１には、エンジン本体１の運転条件や運転者の要求に応じて運転状態を制御するための電子制御ユニットであるＥＣＵ１０が併設されている。このＥＣＵ１０は、エンジン本体１の制御に係る各種演算処理を実行するＣＰＵ、その制御に必要なプログラムやデータの記憶されたＲＯＭ、ＣＰＵの演算結果等が一時記憶されるＲＡＭ、外部との間で信号を入・出力するための入・出力ポート等を備えて構成される。
【００３２】
ＥＣＵ１０には、上述したエアフローメータ４及びＡ／Ｆセンサ３１の他、エンジン本体１のクランク角を検出するクランクポジションセンサ２４、アクセル開度に応じた電気信号を出力するアクセル開度センサ２５、ＮＯｘ触媒コンバータ２６の下流側の排気通路に配置されたＮＯｘセンサ３２、エンジン冷却水温を検出する水温センサ３３、ＮＯｘ触媒コンバータ２６の入口近傍に設けられた固体電解質等からなるＳＯｘセンサ３４、及び、不図示の駆動輪の近傍に配置され車速を検出する車速センサ３５を含む各種センサ類が、電気配線を介して接続され、これらの出力信号がＥＣＵ１０に入力される。また、ＥＣＵ１０には、燃料添加弁７、筒内燃料噴射弁９、及び可変燃圧レギュレータ１８を含む各種アクチュエータ類が電気配線を介して接続され、これらがＥＣＵ１０によって制御される。ＥＣＵ１０は、クランクポジションセンサ２４の出力値に基づいて機関回転数を検出し、アクセル開度センサ２５の出力値に基づいてエンジン本体１の要求負荷を検出することができる。
【００３３】
本実施形態では、燃料の着火による昇温処理、前処理触媒コンバータ８及び酸化触媒コンバータ６に対するＰＭ酸化処理、ＮＯｘ触媒コンバータ２６に対するＮＯｘ還元処理及びＳＯｘ被毒回復処理を実施する際に、ＥＣＵ１０が燃料添加弁７を制御して燃料を排気中に噴射させ、この燃料を前処理触媒コンバータ８、酸化触媒コンバータ６及びＮＯｘ触媒コンバータ２６に供給する。
【００３４】
燃料添加弁７に噴射される燃料の噴射量は、前述した着火昇温処理、ＰＭ酸化処理、ＮＯｘ還元処理、ＳＯｘ被毒回復処理、ＰＭ再生処理など、個々の制御毎に設定することができる。ＥＣＵ１０のＲＯＭ内には、エンジン本体１の運転状態に適合する目標総噴射量を算出するための目標総噴射量算出マップが、上記処理の種別（着火昇温処理、酸化処理、ＮＯｘ還元処理、ＳＯｘ被毒回復処理、ＰＭ再生処理など）毎に記憶されている。そして、燃料噴射制御を行う場合、ＥＣＵ１０は、機関回転数、アクセル開度、吸入空気量を検出し、これらをパラメータとして目標総噴射量算出マップへとアクセスし、目標総噴射量を算出する。ＥＣＵ１０は、目標総噴射量の燃料が燃料添加弁７から噴射されるように、その開弁時間を算出する。そして、ＥＣＵ１０は、燃料添加弁７（詳しくは、燃料添加弁７を開閉駆動させる駆動機構（不図示））に指令を出すことで当該燃料添加弁７を開弁させ、算出された開弁時間が経過した時点で閉弁させる。
【００３５】
ＥＣＵ１０のＲＯＭ内には更に、触媒迂回路３ａ内の空燃比と、燃料添加弁７からの噴射圧すなわち可変燃圧レギュレータ１６の設定燃圧とを互いに関連付けて記憶させた燃料圧力マップが格納されている。図５に示されるように、この燃料圧力マップでは、空燃比が高いほど設定燃圧が高くなるように設定されている。ＥＣＵ１０のＲＯＭ内には更に、失火判定に用いるための基準値である基準空燃比の値が格納されている。
【００３６】
以上のとおり構成された本実施形態では、ＥＣＵ１０は、燃料添加弁７及び可変燃圧レギュレータ１８を制御して、着火を伴う燃料の噴射を実行させる。ＥＣＵ１０は、Ａ／Ｆセンサ３１の検出値によって燃料圧力マップを参照することで、目標燃圧を読み出し、可変燃圧レギュレータ１６を制御して、燃料添加弁７に供給される燃料の燃圧を目標燃圧にさせる。
【００３７】
そしてＥＣＵ１０は、エンジンの動作中あるいは燃料添加弁７からの燃料の供給中にわたり、Ａ／Ｆセンサ３１によって検出される空燃比の値を繰返し読み込み、この検出値を予め定められた基準空燃比と比較し、検出値が基準空燃比を上回った場合に失火と判定する。失火と判定した場合には、燃料添加及び着火に係るバーナ装置３０の制御を禁止する。なお、ＥＣＵ１０は失火と判定した場合に、例えば昇圧回路２２を制御してグロープラグ２１への供給電圧を上昇させるといった回復制御ないし清浄運転を実行してもよい。
【００３８】
以上のとおり、本実施形態では、触媒迂回路３ａ（第１の分岐路）および外枠８ａ内（第２の分岐路）が排気通路を構成すると共に、燃料添加弁７からの燃料がグロープラグ２１により着火され、着火により生じた火炎Ｆの少なくとも一部が触媒迂回路３ａに供給される。そして排気の空燃比を検出するためのＡ／Ｆセンサ３１が、触媒迂回路３ａに配置されている。火炎の少なくとも一部が供給される触媒迂回路３ａにおいては、燃焼によって酸素濃度が低下するので、空燃比の検出への酸素濃度の影響を抑制することができ、したがってグロープラグ２１の失火判定を容易にすることができる。
【００３９】
また、本実施形態では外枠８ａ内（第２の分岐路）に前処理触媒コンバータ８が配置されているので、前処理触媒コンバータ８により排気を浄化でき、また、燃料添加弁７からの燃料が前処理触媒コンバータ８に供給されるので、反応による発熱や供給燃料の改質を図ることができる。
【００４０】
また本実施形態では、触媒迂回路３ａ（第１の分岐路）は、外枠８ａ内（第２の分岐路）と熱交換可能に配置されているので、触媒迂回路３ａ中に存在する火炎Ｆにより外枠８ａ内の前処理触媒コンバータ８を昇温させることが可能になる。また、触媒迂回路３ａが外枠８ａの外周を囲むように配置されているので、火炎が触媒迂回路３ａと外枠８ａ内との下流側の合流点に到達する場合に、外枠８ａ内の前処理触媒コンバータ８を通過し改質された燃料を燃焼させることも可能になる。
【００４１】
さらに本実施形態では、空燃比に応じて燃料噴射量を変更するために、グロープラグ２１の下流側に設けたＡ／Ｆセンサ３１によって検出された空燃比が高いほど、燃料添加弁７から供給される燃料の圧力を高くしたので、燃料添加弁７の噴孔の詰まりなどの劣化に伴うリーン化などの動作不良があった場合にも、燃料の量を適切にして失火を抑制することができる。
【００４２】
本発明をある程度の具体性をもって説明したが、クレームされた発明の精神や範囲から離れることなしに、さまざまな改変や変更が可能であることは理解されなければならない。本発明の実施態様は上述の各態様のみに限らず、本発明は、特許請求の範囲によって規定される本発明の思想に包含されるあらゆる変形例や応用例を含む。したがって本発明は、限定的に解釈されるべきではなく、本発明の思想の範囲内に帰属する他の任意の技術にも適用することが可能である。本発明における課題を解決するための手段は、可能な限り組み合わせて使用することができる。
【００４３】
例えば、燃料圧力の制御は、高圧ポンプ１４の吐出圧力を変更することで行ってもよく、この場合には可変燃圧レギュレータを不要とすることができる。
【００４４】
前処理触媒コンバータ及び排気管のうち少なくとも一方は、断面が楕円形や長円形など、非円形であってもよい。排気管３の横断方向の間隔は、前処理触媒コンバータ８がグロープラグ２１（着火装置）の発熱部分よりも燃料添加弁７に近くてもよい。前処理触媒コンバータ８よりも下流側に存在する他の排気処理装置の種類や順序も任意である。
【符号の説明】
【００４５】
１  エンジン本体
３  排気管
６  酸化触媒コンバータ
７  燃料添加弁
８  前処理触媒コンバータ
９  筒内燃料噴射弁
１０  ＥＣＵ
１６  可変燃圧レギュレータ
２０  衝突板
２１  グロープラグ
２１ａ  発熱部
２６  ＮＯｘ触媒コンバータ
３０  バーナ装置
【図１】
2012012985.tif 000003
【図２】
2012012985.tif 000004
【図３】
2012012985.tif 000005
【図４】
2012012985.tif 000006
【図５】
2012012985.tif 000007